(57)【特許請求の範囲】
【請求項１】
回転軸方向から吸入した空気を径方向に吹き出す羽根車と、同羽根車を収容するケーシングからなるシロッコファンを備えた空気調和機であって、
前記ケーシングは、上面部と下面部と左右の側面部で囲まれた吹出部を備え、同吹出部の開口端が吹出口となり、
前記ケーシングは、第１ケーシングと第２ケーシングで構成され、
前記第１ケーシングは前記上面部と前記左右の側面部を有し、前記第２ケーシングは前記下面部を有し、
前記第１ケーシングに第１整流板を設けるとともに、前記第２ケーシングに第２整流板を設け、
前記第１ケーシングの前記左右の側面部は、前記吹出口に向かって徐々に拡開し、前記第１整流板と前記第２整流板は各々曲率を有し、前記第１整流板あるいは前記第２整流板のうち少なくとも一方の曲率が、前記左右の側面部と同じ曲率を有することを特徴とする空気調和機。
【請求項２】
前記第１整流板は、前記第２整流板よりも高さ寸法が大きく形成されていることを特徴とする請求項１に記載の空気調和機。
【請求項３】
前記第１ケーシングと前記第２ケーシングを組み付けるとき、前記左右の側面部の端部が前記下面部に当接することを特徴とする請求項１、２に記載の空気調和機。
【発明の詳細な説明】
【技術分野】
【０００１】
本発明は空気調和機に関わり、特にシロッコファンの構造に関するものである。
【背景技術】
【０００２】
空気調和機の室内機に備えられる送風機としては、渦巻形に形成されたケーシングに羽根車が収納されたシロッコファンが知られている。ケーシングの内部には空気流路が設けられ、ケーシングの側面に設けられた吸込口と、ケーシングの前端部に設けられた略矩形状の吹出口を連通する。
【０００３】
上述したシロッコファンにおいて、吹出口から吹き出される空気量（送風量）や空気の流れ方向を変更する様々な手段が提案されている。例えば、特許文献１に記載のシロッコファンでは、吹出口に送風量を調整するための整流板が備えられており、整流板は吹出口の上下方向にスライドできるようになっている。
【０００４】
具体的には、整流板の側面にピンを設けるとともに、吹出口の左右側面にピンが挿入できる長穴が設けられている。整流板のピンを長穴に挿入し、長穴に沿ってピンを上限にスライドすることで、整流板が吹出口の上下方向にスライドする。
【０００５】
整流板を上下にスライドすることによって吹出口の開口面積を変化させることで、送風量を簡単に調整できる。従って、シロッコファンの羽根車を回転させるモータの回転数を制御する制御装置や、吐出ダンパー、スクロールダンパーなどといった高価な装置を別途設ける必要がない。
【先行技術文献】
【特許文献】
【０００６】
【特許文献１】特開平４−３６５１８号公報
【発明の概要】
【発明が解決しようとする課題】
【０００７】
室内機の設置後に送風量や空気の流れ方向を変更する必要がない場合は、特許文献１に記載のシロッコファンのように、吹出口に設けた整流板を可動させる必要がない。この場合は、ケーシングを形成する際に吹出口に一体的に整流板を形成すれば、別途吹出口に整流板を設ける場合と比べてシロッコファンのコストダウンを図ることができる。しかし、ケーシングを射出成型で形成する場合に、ケーシングの成形後に成型金型からケーシングを取り外すためにはケーシングの各箇所に抜き勾配を設ける必要がある。この抜き勾配を設ける必要があることから、吹出口に一体的に形成する整流板の形状に制約が課せられる。例えば、吹出口から吹き出される空気を左右方向に広げるために、整流板をケーシングの内部から吹出口に向かって徐々に広がるように形成する必要があり、整流板がアンダーカット部となって、ケーシングの成形後に金型からケーシングを取り外すことができないという問題があった。
【０００８】
本発明は以上述べた問題点を解決し、シロッコファンの吹出口に設ける整流板の形状を自由に形成できる空気調和機を提供することを目的とする。
【課題を解決するための手段】
【０００９】
本発明は上述の課題を解決するものであって、本発明の空気調和機は、回転軸方向から吸入した空気を径方向に吹き出す羽根車と、羽根車を収容するケーシングからなるシロッコファンを備えたものであって、ケーシングは、上面部と下面部と左右の側面部で囲まれた吹出部を備え、吹出部の開口端が吹出口となる。そして、ケーシングは第１ケーシングと第２ケーシングで構成され、第１ケーシングは上面部と左右の側面部を有し、第２ケーシングは下面部を有し、第１ケーシングに第１整流板を設けるとともに、第２ケーシングに第２整流板を設け、前記第１ケーシングの前記左右の側面部は、前記吹出口に向かって徐々に拡開し、前記第１整流板と前記第２整流板は各々曲率を有し、前記第１整流板あるいは前記第２整流板のうち少なくとも一方の曲率が、前記左右の側面部と同じ曲率を有することを特徴としている。
【発明の効果】
【００１０】
本発明の空気調和機は、第１ケーシングと第２ケーシングの各々に整流板を設けるので、シロッコファンの吹出口に整流板を設ける際に、整流板の形状を自由に形成できる。
【図面の簡単な説明】
【００１１】
【図１】本発明の実施形態における空気調和機の室内機の説明図であり、（Ａ）は外観斜視図、（Ｂ）は天板を取り外した状態の外観斜視図である。
【図２】本発明の実施形態におけるシロッコファンの説明図であり、（Ａ）はシロッコファンの外観斜視図、（Ｂ）は（Ａ）におけるＸ−Ｘ断面図である。
【図３】シロッコファンの分解斜視図である。
【図４】（Ａ）は図３における矢視図Ｃであり、（Ｂ）は図３における矢視図Ｄである。
【図５】室内機内部の空気の流れの説明面である。
【図６】本発明の実施形態における室内機の設置状態図である。
【発明を実施するための形態】
【００１２】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１３】
本発明の一実施形態である空気調和機はダクト型空気調和機であり、その室内機１は、図６に示すように建屋天井面１１０と室内天井面１４０の間の空間に設置される。具体的には、一端が建屋天井面１１０に固定された吊下ボルト１２０の他端に室内機１の後述する天板１１に取り付けた取付金具１３０を固定して吊り下げて設置される。室内機１は、屋外に配置された図示しない室外機と冷媒配管で接続されており、室外機と室内機１の間で冷媒を循環させて室内機１が設置された空調室の空気調和を行う。
【００１４】
図１（Ａ）に示すように、室内機１は、各々が鋼板で形成された天板１１、底板１２、前面板１３、背面板１４、右側板１５、および左側板１６で横長の直方体状に形成された筐体１０を有している。尚、以降の説明では、筐体１０における前面板１３が配置されている方向を前方、背面板１４が配置されている方向を後方、天板１１が配置されている方向を上方、底板１２が配置されている方向を下方、右側板１５が配置されている方向を右方、左側板１６が配置されている方向を左方とし、室内機１を構成する各部品においても同様の方向で説明する。
【００１５】
図１（Ｂ）に示すように、筐体１０の内部には、室外機の図示しない圧縮機から吐出された冷媒と室内機１が設置された空調室の空気を熱交換させる熱交換器３０と、熱交換器３０に空調室の空気を送風する２台のシロッコファン２０が収容されている。
【００１６】
筐体１０の背面板１４には、筐体１０の内部に空気を取り込むための筐体吸込口１４ａが設けられている。筐体１０の前面板１３には、筐体１０の内部から空気を吹き出すための筐体吹出口１３ａが設けられている。図６に示すように、筐体吸込口１４ａは吸込ダクト１６０を介して室内天井面１４０に設けられた吸込グリル１７０に接続される。また、筐体吹出口１３ａは吹出ダクト１９０を介して室内天井面１４０に設けられた吹出グリル２００に接続される。
【００１７】
図１（Ｂ）に示すように、筐体１０の内部には、筐体吸込口１４ａ（筐体１０の内部の空気の流れにおける上流側）から筐体吹出口１３ａ（同じく下流側）へと向かう方向に、２台のシロッコファン２０、熱交換器３０が順に配置されている。２台のシロッコファン２０と熱交換器３０の間には、天板１１と底板１２に固定される仕切板１７が設けられており、筐体１０の内部は仕切板１７によってシロッコファン２０を収容する送風機室８０と、熱交換器３０を収容する熱交換器室９０に区分けされている。
【００１８】
熱交換器３０は、左右方向の長さが筐体吹出口１３ａの横幅と略等しい平板状の２枚の熱交換部が側面視でくの字状に組み合わせて連結されている。これにより平板状の熱交換器を縦置きや斜めに配置する場合と比べて、熱交換器３０の高さ寸法や奥行寸法を小さく抑えるとともに、室内機１で要求される空調能力を発揮するために必要な熱交換器の面積を確保している。
尚、熱交換器室９０における熱交換器３０の下方には、発泡スチロールで形成され熱交換器３０で発生した凝縮水を受けるドレンパン７０が配置されている。
【００１９】
図２および図３に示すように、シロッコファン２０は、多数の羽根を備えた筒状の羽根車２３と、羽根車２３を収容する渦巻状のケーシング２０ｆと、羽根車２３の中心に連結されるモータシャフト５５を有するモータ５０を備える。モータ５０は、図５に示すように仕切板１７に固定されたモータブラケット６０に取り付けられて２台のシロッコファン２０の間に配置され、モータ５０の両側から左右に突出したモータシャフト５５を回転させることで２台のシロッコファン２０の各羽根車２３を回転させる。尚、２台のシロッコファンは同じ構成を有するものである。
【００２０】
図２乃至図４に示すように、ケーシング２０ｆは、ケーシング２０ｆの上部を構成する第１ケーシング２１と、ケーシング２０ｆの下部を構成する第２ケーシング２２とからなる。第１ケーシング２１は、ケース上面２１ｃとケース側面２１ｂで形成される。ケース上面２１ｃは、平面状に形成されて前方に配置される上面部２１ｃａと、上面部２１ｃａから後方に向かって連続し円周の略４分の１の円弧形状に形成される上方円弧部２１ｃｂからなる。ケース側面２１ｂはケース上面２１ｃの左右側端を覆い、後述する第２ケーシング２２の舌片部２２ｇより前方が前方側面部２１ｂａとなっているとともに、羽根車２３の回転軸を中心とし下方に開いた半円形状の第１切欠部２１ｆを備える。尚、前方側面部２１ｂａの形状については、後に詳細に説明する。
【００２１】
第２ケーシング２２は、ケース下面２２ｂとケース側面２２ｆで形成される。ケース下面２２ｂは、羽根車２３の前端に最も近接する位置に舌片部２２ｇを備え、舌片部２２ｇから前方に向かって下方に傾斜し平面状に形成された下面部２２ｂａと、舌片部２２ｇから後方に半円弧形状に形成された下方円弧部２２ｂｂからなる。ケース側面２２ｆは下方円弧部２２ｂｂの左右側端を覆い、羽根車２３の回転軸を中心とし上方に開いた半円形状の第２切欠部２２ｅを備える。
【００２２】
第１ケーシング２１と第２ケーシング２２を合わせてケーシング２０ｆを組み立てると、ケーシング２０ｆの左右側面には、第１ケーシング２１の第１切欠部２１ｆと第２ケーシング２２の第２切欠部２２ｅで円形状の吸込口２０ａが形成される。また、ケーシング２０ｆの前方には、第１ケーシング２１の上面部２１ｃａのうち第２ケーシング２２の舌片部２２ｇより前方の部分（図２（Ａ）および図４（Ａ）における破線より前方の部分）である前方上面部２１ｃａａおよび左右の前方側面部２１ｂａと第２ケーシング２２の下面部２２ｂａで囲まれた吹出部２０ｂが形成され、吹出部２０ｂの前方の開口端が吹出口２０ｂａとなる。また、吹出部２０ｂの周囲には、シロッコファン２０を仕切板１７に固定するためのフランジ２１ｇが設けられる。
【００２３】
そして、吸込口２０ａと吹出口２０ｂａを連通する空間が、図２（Ｂ）に示す空気流路２０ｅとなる。空気流路２０ｅは、舌片部２２ｇから吹出口２０ｂａに向かうにつれて羽根車２３とケース下面２２ｂおよびケース上面２１ｃとの間隔が徐々に大きくなるように形成されている。
【００２４】
モータ５０の駆動により羽根車２３が図２（Ｂ）に示す矢印Ｑの方向に回転すると、吸込口２０ａから空気流路２０ｅに吸い込まれた空気が矢印Ｐで示すように空気流路２０ｅを流れて、吹出口２０ｂａから外部に吹き出される。このとき、第１ケーシング２１のケース上面２１ｃに近い箇所を流れる空気の量が最も多く、羽根車２３の近傍を流れる空気の量はケース上面２１ｃに近い箇所を流れる空気の量に比べて少なくなる。尚、図２（Ｂ）では、流れる空気の量の違いを矢印の太さで示しており、矢印の太さが細くなる程流れる空気の量が少ないことを示している。
【００２５】
図１（Ｂ）および図５に示すように、仕切板１７には２つの連通穴１７ａが設けられている。仕切板１７にシロッコファン２０を固定するときは、連通穴１７ａの外周部にシロッコファン２０のケーシング２０ｆのフランジ部２１ｇが突き当てて固定する。これにより吹出口２０ｂａが熱交換器室９０に露出するので、シロッコファン２０の吹出口２０ｂａから吹き出された空気が熱交換器室９０へと吹き出される。
【００２６】
次に、図３乃至図５を用いて、シロッコファン２０の組み立てと送風機室８０への取り付けについて説明する。まず、モータブラケット６０を仕切板１７に固定し、モータブラケット６０にモータ５０を取り付ける。次に、２個の羽根車２３のそれぞれの回転中心にモータ５０の左右のモータシャフト５５のそれぞれを接続する。次に、羽根車２３を第２ケーシング２２に収容した後第２ケーシング２２に第１ケーシング２１を組み合わせる。次に、上述したように仕切板１７の連通穴１７ａの外周部にシロッコファン２０のケーシング２０ｆのフランジ部２１ｇが突き当てて、ケーシング２０ｆを仕切板１７に固定する。そして、モータ５０およびシロッコファン２０が取り付けられた仕切板１７を、筐体１０に固定する。
【００２７】
第１ケーシング２１と第２ケーシング２２を組み付けると、第１ケーシング２１のケース側面２１ｂの下端で第１切欠部２１ｆより後方に設けられた第１後方辺縁部２１ｅと、第２ケーシング２２のケース側面２２ｆの上端で第２切欠部２２ｅより後方に設けられた第２後方辺縁部２２ｄが突き当たって後方接合部２０ｄとなる。これら第１後方辺縁部２１ｅと第２後方辺縁部２２ｄは同じ厚さ寸法に形成されており、第１ケーシング２１と第２ケーシング２２を組み付けた際に、空気流路２０ｅ中の後方接合部２０ｄで段差が生じないようになっている。
【００２８】
また、第１ケーシング２１と第２ケーシング２２を組み付けると、第１ケーシング２１のケース側面２１ｂの下端で第１切欠部２１ｆより前方に設けられた左右の前方辺縁部２１ｄが、第２ケーシング２２の舌片部２２ｇおよび下面部２２ｂａのそれぞれの左右端に設けられた前方接合溝２２ｃに嵌合して前方接合部２０ｃとなる。前方接合溝２２ｃは、前方辺縁部２１ｄの厚さ寸法に対応した凹形状に形成されており、第１ケーシング２１と第２ケーシング２２を組み付けた際に、吹出口２０ｂにおける前方接合部２０ｃで段差や隙間が生じないようになっている。
【００２９】
以上説明したように、第１ケーシング２１と第２ケーシング２２を組み付けることによって形成される空気流路２０ｅにおいて、第１ケーシング２１と第２ケーシング２２の後方接合部２０ｄで段差が生じないので、当該接合部が空気流路２０ｅを流れる空気の流れが乱されることがない。また、第１ケーシング２１と第２ケーシング２２の前方接合部２０ｃが吹出部２０ｂの下端の両隅部に位置し、かつ、前方接合部２０ｃで段差や隙間が生じないので、吹出部２０ｂを流れる空気が前方接合部２０ｃから漏れることがなく、また、前方接合部２０ｃによって吹出口２０ｂａから吹き出される空気の流れが乱されることがない。
【００３０】
次に、図２乃至図５を用いて、ケーシング２０ｆの吹出部２０ｂの一部を構成する側面部と、吹出部２０ｂに設けられる整流板の形状について説明する。
【００３１】
まず、第１ケーシング２１に設けられ吹出部２０ｂの一部を構成する側面部である前方側面部２１ｂａの形状について説明する。左右の前方側面部２１ｂａは吹出部２０ｂの左右側面を担うものであり、図４（Ａ）に示すようにケーシング２０ｆの内部から第１ケーシング２１の前端つまりケーシング２０ｆの吹出口２０ｂａに向かって徐々に拡開するように円弧形状に形成されている。具体的には、左右の前方側面部２１ｂａの前端間寸法Ｈ１４が、吹出部２０ｂ側である後端間寸法Ｈ１３より大きくなる。
【００３２】
そして、第１ケーシング２１の上面部２１ｃａには、上面部２１ｃａから連続して下方に伸びるように形成された整流板が設けられている。尚、第１ケーシング２１の上面部２１ｃａに設けられる整流板を第１整流板２１ａとし、後述する第２ケーシング２２の下面部２２ｂａに設けられる整流板を第２整流板２２ａとする。第１整流板２１ａは、左右方向において中心線Ｌ１を中心として左右対称に設けられた２枚の整流板からなる。前後方向においては第１整流板２１ａの前端が第１ケーシング２１の前端つまりケーシング２０ｆの吹出口２０ｂａに合わせた配置となっている。そして、第１整流板２１ａは、上述した左右の前方側面部２１ｂａと同じ曲率を有するように形成されており、具体的には、２枚の第１整流板２１ａの前端間寸法Ｈ１２が、吹出部２０ｂ側である後端間寸法Ｈ１１より大きくなるように形成されている。
【００３３】
次に、第２ケーシング２２に設けられる整流板について説明する。図４（Ｂ）に示すように、第２ケーシング２２の下面部２２ｂａには、下面部２２ｂａから連続して上方に伸びるように形成された整流板が設けられており、この整流板が上述した第２整流板２２ａである。第２整流板２２ａは、左右方向において中心線Ｌ２を中心として左右対称に設けられた２枚の整流板からなる。前後方向においては第２整流板２２ａの前端が第２ケーシング２２の前端つまりケーシング２０ｆの吹出口２０ｂａに合わせた配置となっている。２枚の第２整流板２２ａの前端間寸法Ｈ２２は、吹出部２０ｂ側である後端間寸法Ｈ２１より大きくなるように形成されている。但し、第２整流板２２ａは第１整流板２１ａと比べて面積が小さく、また、第２整流板２２ａの前端間寸法Ｈ２２と後端間寸法Ｈ２１との差は、第１整流板２１ａの前端間寸法Ｈ１２と後端間寸法Ｈ１１との差より小さくすることで、第２整流板２２ａの曲率は第１整流板２１ａの曲率より小さく形成されている。
【００３４】
以上説明したように、第１整流板２１ａおよび第２整流板２２ａは各々曲率を持ち、かつ、各々の前端間寸法Ｈ１２、Ｈ２２が各々の後端間寸法Ｈ１１、Ｈ２１より大きく、つまり、第１整流板２１ａおよび第２整流板２２ａはケーシング２０ｆの内部から吹出部２０ｂ向かって徐々に広がるように形成されている。従って、射出成型によってケーシング２０ｆを一体形成する場合や、吹出部２０ｂを第１ケーシング２１もしくは第２ケーシング２２のいずれか一方に形成する場合は、上記のような形状を有する第１整流板２１ａおよび第２整流板２２ａを設けると第１整流板２１ａおよび第２整流板２２ａが所謂アンダーカット部となるので、成型後に金型からケーシングを取り外すことができないという問題があった。
【００３５】
これに対し、本願発明のケーシング２０ｆは、第１ケーシング２１と第２ケーシング２２で形成され、かつ、第１ケーシング２１に備えた前方側面部２１ｂａおよび上面部２１ｃａと、第２ケーシング２２に備えた下面部２２ｂａで吹出部２０ｂを形成している。そして、第１ケーシング２１の上面部２１ｃａに第１整流板２１ａを設け、第２ケーシング２２の下面部２２ｂａに第２整流板２２ａを設けている。従って、上述したアンダーカット部が発生せず、第１ケーシング２１を成形する際に第１整流板２１ａを、第２ケーシング２２を成形する際に第２整流板２２ａを、それぞれ容易に形成することができる。また、前述したように第１整流板２１ａと第２整流板２２ａの面積や曲率を異ならせるというように、各々の整流板の形状を自由に形成できる。
【００３６】
次に、図５を用いて、第１整流板２１ａ、前方側面部２１ｂａ、および第２整流板２２ａが、吹出部２０ｂから吹き出される空気の流れに対して奏する効果について説明する。
【００３７】
モータ５０が駆動されてシロッコファン２０の羽根車２３が回転すると、空調室の空気が図６に示す吸込グリル１７０から吸込ダクト１６０および筐体１０の背面板１４に設けられた筐体吸込口１４ａを介して筐体１０の内部の送風機室８０に流入する。送風機室８０に流入した空気は、シロッコファン２０の吸込口２０ａを介して各空気流路２０ｅに吸い込まれ、空気流路２０ｅから吹出口２０ｂａを介して熱交換器室９０に吹き出される。
【００３８】
吹出口２０ｂａから熱交換器室９０に吹き出される空気の流れは、図５の矢印Ｆに示すように、第１整流板２１ａおよび前方側面部２１ｂａによって左右方向に広がって吹き出される。また、図５では図示を省略しているが、第２整流板２２ａによっても空気の流れが左右方向に広がって吹き出される。このように空気の流れが広がることによって、熱交換器３０の空気流入面全体に空気が行き渡るようになるので、熱交換器３０での熱交換効率が向上する。
熱交換器３０を通過する空気は、熱交換器３０を流れる冷媒と熱交換を行い、筐体吹出口１３ａから吹出ダクト１９０および吹出グリル２００を介して空調室に吹き出される。
【００３９】
尚、前述したように、第１ケーシング２１のケース上面２１ｃに近い箇所を流れる空気の量が最も多く、羽根車２３の近傍を流れる空気の量はケース上面２１ｃに近い箇所を流れる空気の量より少ない。本願発明のシロッコファン２０では、流れる空気の量が少ない吹出部２０ｂの最下方には、流れる空気の量が多い吹出部２０ｂの最上方に配置されている第１整流板２１ａよりも曲率や面積の小さい第２整流板２２ａが配置されている。第２整流板２２ａの面積や曲率を第１整流板２１ａと同じとすれば、流れる空気の量が少ない吹出部２０ｂの最下方を流れる空気に対し第２整流板２２ａが大きな抵抗となって吹出口２０ｂａの下方から吹き出される空気の流速が低下して流れが広がらない。そこで、第２整流板２２ａの面積や曲率を第１整流板２１ａより小さくすることで、吹出部２０ｂの最上方から吹き出される空気の広がり方と吹出部２０ｂの最下方から吹き出される空気の広がり方が同じとなる。
【００４０】
以上説明した実施形態では、吹出部２０ｂの上面部２１ｃａおよび下面部２２ｂａの両方に整流板を設けた場合について説明したが、流れる空気の量の多い吹出部２０ｂの上方に対応して上面部２１ｃａにのみ整流板を設けてもよい。また、第１整流板２１ａと第２整流板２２ａは、各々異なる曲率と面積である場合について説明したが、第１整流板２１ａと第２整流板２２ａが面積のみ異なり同じ曲率であってもよく、曲率と面積がともに同じであってもよい。また、第１整流板２１ａの曲率が前方側面板２１ｂａの曲率と同じである場合について説明したが、吹出部２０ｂの上方を流れる空気量に応じて第１整流板２１ａの曲率を前方側面板２１ｂａの曲率より大きくあるいは小さくしてもよい。さらには、吹出部２０ｂにおける第１ケーシング２１と第２ケーシング２２の接合部が吹出部２０ｂの下方の両隅部に位置する場合を説明したが、これに限るものではなく、例えば、吹出部２０ｂにおける第１ケーシング２１と第２ケーシング２２の接合部が吹出部２０ｂの上方の両隅部に位置する、というように第１ケーシング２１と第２ケーシング２２の接合部が吹出部２０ｂの隅部にあればよい。
【００４１】
尚、本実施形態では、ダクト型空気調和機の室内機においてシロッコファンを備えたものを例に挙げて説明したが、これに限るものではなく、本願発明は、シロッコファンの風下側に熱交換器を配置した空気調和機に広く適用できる。
【符号の説明】
【００４２】
１  室内機
１０  筐体
１３ａ  筐体吹出口
１４ａ  筐体吸込口
１７  仕切板
１７ａ  連通穴
２０  シロッコファン
２０ａ  吸込口
２０ｂ  吹出部
２０ｂａ  吹出口
２０ｃ  前方接合部
２０ｄ  後方接合部
２０ｅ  空気流路
２０ｆ  ケーシング
２１  第１ケーシング
２１ａ  第１整流板
２１ｂ  ケース側面
２１ｂａ  前方側面部
２１ｃ  ケース上面
２１ｃａ  上面部
２１ｃａａ  前方上面部
２１ｃｂ  上方円弧部
２１ｄ  前方辺縁部
２１ｅ  第１後方辺縁部
２１ｆ  第１切欠部
２２  第２ケーシング
２２ａ  第２整流板
２２ｂ  ケース下面
２２ｂａ  下面部
２２ｂｂ  下方円弧部
２２ｃ  前方接合溝
２２ｄ  第２後方辺縁部
２２ｅ  第２切欠部
２２ｇ  舌片部
２３  羽根車
３０  熱交換器
５０  モータ
８０  送風機室
９０  熱交換器室
【図１】
0006455225.tif 000002
【図２】
0006455225.tif 000003
【図３】
0006455225.tif 000004
【図４】
0006455225.tif 000005
【図５】
0006455225.tif 000006
【図６】
0006455225.tif 000007